(57)【特許請求の範囲】
【請求項１】
板金がヘミング加工された頭頂部Ｒを有する軌道部材を、断面Ｌ字状のガイドレールの頭頂部に嵌合し、前記軌道部材とガイドレールをボルト締めして一体化した案内レールを工作機械のベース上に固定し、開閉扉の前壁の背後面に断面Ｖ字状谷の外周縁を有する戸車を支持部材で回転自在に設け、前記案内レールの軌道部材の頭頂部Ｒ上を前記戸車が滑走して開閉扉の開閉を行う、工作機械用開閉扉の摺動案内装置。
【発明の詳細な説明】
【技術分野】
【０００１】
本発明は、研削装置、切削装置、旋盤、フライスカッター、マニシングセンター等の工作機械にワーク加工時のクーラントや切粉の飛散防止並びに作業者への安全性を確保するために工作機械の前面壁に設けられる開閉扉（引き戸も含む）の摺動案内装置に関わる。
【背景技術】
【０００２】
工作機械の密閉カバー装置としては、実用新案登録第２５１３７７３号明細書（特許文献１）に示されるように、前面に左右一対の扉によって開閉される開口部を有し、天板と両側面壁とによって軸頭前方のワーク加工テーブル上を覆う工作機械のカバーにおいて、前記両側面壁の前方を上方から見てくの字状に屈曲した壁面に形成し、前記屈曲面と略同角度で２面が屈曲し、その１面が前記開口部の半分の面積を塞ぐ左右一対の扉と、カバー本体の前記開口部から側面壁に渡る下方または上方に設置され前記扉をカバー本体の屈曲面に沿って案内するガイドレールと、カバー本体の前面の上方または下方設置され前記扉の上方または下方を支持する支持レールとを備えた工作機械用カバーが提案されており、前記扉の摺動案内装置として、円弧状の頭頂部を有する棒状ガイドレールの側面をＬ字型折り曲げ加工された板金にボルトで固定し、前記棒状ガイドレールの円弧状の頭頂部に嵌合する凹状外周縁部を有する戸車を前記扉の背後面に軸受けスリーブで固定した摺動案内装置が提案されている。上記戸車は、前記棒状ガイドレールの円弧状の頭頂部を滑走することにより扉の開閉が行われる。
【０００３】
また、特開平１０−３４４９２号公報（特許文献２）は、Ｖ谷状の外周縁を有する戸車を懸架部にボルト締めし、戸の背面にＵ字異形レールと内側脚部を溶接した逆Ｖ字状頭頂頭を有する案内レールよりなる戸の案内装置を開示する。
【０００４】
さらに、特開２０１０−１９４７０７号公報（特許文献３）は、ベッド上にワークを加工する加工領域を覆うように機体カバーを設置し、機体カバーの開口部を塞ぐように左右一対の開閉扉を相反する方向へ開閉可能に設け、左右一対の開閉扉の開閉状態を検知する検知機構を備えた工作機械の開閉扉装置において、機体カバーに係合部材を設け、一方の開閉扉が開口部を塞ぐ位置で前記係合部材と係合状態となったとき前記係合部材に他方の開閉扉を進入可能として左右一対の開閉扉で開口部を塞ぐ閉鎖状態となり、一方の開閉扉と前記係合部材との係合状態が解除されたとき他方の開閉扉を前記係合部材に進入不可能に構成した工作機械の開閉扉装置を提案する。前記左右一対の開閉扉は、機体カバーに設けられた断面長方形状レールを上下のローラ（戸車）で挟持して扉開閉方向に移動可能に吊り下げられており、前記レールに前記係合部材を揺動可能に設け、係合部材に一方の開閉扉の下部ローラが係合部材を他方の開閉扉と係合可能な位置に揺動させる揺動面と、他方の開閉扉の上部ローラが係合する面取り面を形成し、係合部材を開閉扉の開放状態で係合部材が一方の開閉扉側に揺動して傾斜した状態となり、係合部材が一方の開閉扉側に傾斜した状態で一方の開閉扉の下部ローラが係合部材を他方の開閉扉側へ揺動させるまで他方の開閉扉が係合部材と係合できないように構成されている。
【先行技術文献】
【特許文献】
【０００５】
【特許文献１】実用新案登録第２５１３７７３号明細書の図３
【特許文献２】特開平１０−３４４９２号公報の図２
【特許文献３】特開２０１０−１９４７０７号公報の図３
【発明の概要】
【発明が解決しようとする課題】
【０００６】
前記特許文献１に開示される開閉扉の摺動案内装置は、戸車（ローラ）と円弧状の頭頂部を有する鉄鋼製棒状ガイドレールとの接触面積が大きく、ガイドレールの磨耗の機会が大きく、寿命が短い。
【０００７】
同様に前記特許文献２に開示される開閉扉の摺動案内装置も、戸車（ローラ）と逆Ｖ字状頭頂部を有するガイドレールとの接触面積が大きく、ガイドレールの磨耗の機会が大きく、寿命が短い。
【０００８】
前記特許文献３の開閉扉の摺動案内装置も同様に、Ｕ字状凹部外壁を備える戸車（ローラ）と断面長方形状レールとの接触面積が大きく、断面長方形状レールの磨耗の機会が大きく、寿命が短いとともに、戸車（ローラ）のＵ字状凹部外壁と断面長方形状レール間に隙間が存在するため、扉滑走時に扉が前後面に揺れ騒音発生の原因となる。
【０００９】
本願は、開閉扉の開閉時の騒音発生が少なく、戸車とガイドレールの接触面積が小さい摺動案内装置の提供を目的とする。
【課題を解決するための手段】
【００１０】
本発明の請求項１は、板金がヘミング加工された頭頂部Ｒを有する軌道部材を、断面Ｌ字状のガイドレールの頭頂部に嵌合し、前記軌道部材とガイドレールをボルト締めして一体化した案内レールを工作機械のベース（機枠）上に固定し、開閉扉の前壁の背後面に断面Ｖ字状谷の外周縁を有する戸車を支持部材で回転自在に設け、前記案内レールの軌道部材の頭頂部Ｒ上を前記戸車が滑走して開閉扉の開閉を行う、工作機械用開閉扉の摺動案内装置を提供するものである。
【発明の効果】
【００１１】
案内レールの軌道部材のＲ部と戸車との接点は２箇所であるので扉（戸）滑走時の前後の揺れは防止されるとともに、騒音の発生は小さい。磨耗した案内レールの軌道部材の交換は、ボルト締めを開放して新品と交換し、ガイドレールにボルト締めすることにより実施できる。
【図面の簡単な説明】
【００１２】
【図１】図１は工作機械の密閉カバー装置の正面図である。
【図２】図２は開閉扉の右側面図である。
【図３】図３は開閉扉の摺動案内装置の側面図で、図２において円Ａで囲まれる部分の拡大図を示す。
【発明を実施するための形態】
【００１３】
図１に示す工作機械の密閉カバー装置１において、２はベース（機枠）、３は開閉扉で、３ａは左引き戸、３ａ１はその把手を、３ｂは右引き戸、３ｂ１はその把手である。４ａは左戸袋、４ｂは右戸袋を示す。５は戸車（ローラ）、６は案内レール、７は機枠に設けられた鴨居で、引き戸３ａ，３ｂの上部はこの鴨居の凹溝を通行可能である。
【００１４】
図２および図３に示すように引き戸３ａ，３ｂの摺動案内装置は、板金をベンディングマシンでヘミング曲げ加工して得た頭頂部Ｒを有する軌道部材６ａを、断面Ｌ字状のガイドレール６ｂの頭頂部に嵌合し、前記軌道部材６ａとガイドレール６ｂを断面Γ状液体遮蔽板８ａとともにボルト６ｃで締めて一体化した案内レール６を工作機械のベース２上に固定し、引き戸３の枠体３ｄの背後面固定壁３ｅに断面Ｖ字谷５ａを有する戸車５をシャフト５ｃ廻りに軸受け５ｃし、このシャフト５ｃに調整ボルト５ｄでネジ締めし、前記案内レール６の軌道部材６ａの頭頂部Ｒ上を前記戸車５が滑走する構造を採る。上記戸車５
の背面には、断面Ｊ状の液体遮蔽板８ｂが設けられ、この液体遮蔽板８ｂは前記背後面固定壁３ｅにフランジ３ｆを介してボルト固定３ｇされている。前記断面Γ状液体遮蔽板８ａを構成する上部水平板の下方に離間して前記断面Ｊ状の液体遮蔽板８ｂのＪ部構成水平部材が設けられ、前記フランジ３ｆ、断面Ｊ状の液体遮蔽板８ｂおよび断面Γ状液体遮蔽板８ａが構成する防水壁により案内装置を構成する戸車５および案内レール６にクーラント液体や切粉が侵入するのを防いでいる。引き戸３の下部にも断面Ｌ字状の液体遮蔽板８ｃが設けられ、工作機械外部からの塵や液体が案内装置を構成する戸車５および案内レール６を収納する部室内に侵入するのを防いでいる。
【００１５】
上記案内レール６の軌道部材６ａ用板金およびＬ字型ガイドレール６ｂの素材としては、冷間圧延鋼板（ＳＰＣＣ）およびステンレス鋼板（ＳＵＵ３０４）が使用される。軌道部材６ａ用板金の厚みは１．２〜２．４ｍｍ、Ｌ字型ガイドレール６ｂの厚みは２．４〜４．８ｍｍが好ましい。軌道部材６ａの頭頂部Ｒ径は、２．４〜４．８ｍｍが好ましい。
【００１６】
引き戸３ａ，３ｂの開閉は、把手３ａ１，３ｂ１を手で把持し、左方向または右方向に引くことにより戸車５が案内レール６を滑走することにより行われる。
【産業上の利用可能性】
【００１７】
本発明の工作機械用開閉扉の摺動案内装置は、案内レール６の軌道部材６ａのＲ部が戸車６ｂ摺動面に接する点は２箇所であるので、引き戸３滑走時の前後の揺れは防止されるとともに、騒音の発生は小さい。磨耗した案内レールの軌道部材６ａの交換は、ボルト締めを開放して新品と交換し、ガイドレールにボルト締めすることにより容易に実施できる。よって、案内レール６部材全部を交換する費用と比較して廉価である。
【符号の説明】
【００１８】
１  工作機械
３  引き戸
５  戸車
６  案内レール
６ａ  ヘミング加工軌道部材
６ｂ  Ｌ字型ガイドレール
【図１】
0005639899.tif 000002
【図２】
0005639899.tif 000003
【図３】
0005639899.tif 000004